(57)【要約】      （修正有）【課題】義歯作製工程を簡略化し、多くの患者に適合可能な義歯床又は義歯を提供する。【解決手段】床後縁の左側翼突上顎切痕に相当する点Ｐと右側翼突上顎切痕に相当する点Ｑとを結ぶ線分ＰＱの長さを１とした場合、唇側床縁の正中にあたる上唇小帯に相当する点Ｏと線分ＰＱの中点Ｍとを結ぶ線分ＯＭの長さが０．７６〜１．１４である上顎基準義歯床１００と、床後縁の左側臼後隆起に相当する点ｐと右側臼後隆起に相当する点ｑとを結ぶ線分ｐｑの長さを１とした場合、唇側床縁の正中にあたる下唇小帯に相当する点ｏと線分ｐｑの中点ｍとを結ぶ線分ｏｍの長さが０．７４〜０．９４である下顎基準義歯床２００とを用いて義歯を作製する。【選択図】図１
2015165850.tif 000002
【特許請求の範囲】
【請求項１】
床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であることを特徴とする上顎基準義歯床。
【請求項２】
点Ｏと点Ｐとを結ぶ線分ＯＰを４等分する各点を、点Ｏ側から点Ｐ１、点Ｐ２、点Ｐ３とし、線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、線分ＯＱ上の点Ｑ１、点Ｑ２、点Ｑ３からの垂直線が右側頬側床縁と交わる点を点Ｅ１、点Ｅ２、点Ｅ３とし、
線分ＰＱの長さを１とした場合、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である請求項１に記載の上顎基準義歯床。
【請求項３】
人工歯が少なくとも１歯以上予め配列されている請求項１又は２に記載の上顎基準義歯床。
【請求項４】
線分ＰＱの長さを１とした場合、
線分ＯＰ上にあり点Ｏから０．７４の距離にある点Ｓ６と、左側頬側床縁と、を結ぶ線分ＯＰに対する垂直線上であって、点Ｓ６から左側頬側床縁側に０．１１の距離に中心点を有する半径０．１４の円内に左側側上顎第一大臼歯の中心窩を有し、
線分ＯＱ上にあり点Ｏから０．７４の距離にある点Ｔ６と、右側頬側床縁と、を結ぶ線分ＯＱに対する垂直線上であって、点Ｔ６から右側頬側床縁側に０．１１の距離に中心点を有する半径０．１４の円内に右側上顎第一大臼歯の中心窩を有する請求項３に記載の上顎基準義歯床。
【請求項５】
線分ＰＱの長さを１とした場合、
直線ＯＭ上であって点Ｍから唇側に０．７６〜１．１４の距離に左側上顎中切歯と右側上顎中切歯との歯間部を有する請求項３に記載の上顎基準義歯床。
【請求項６】
線分ＰＱの長さを１とした場合、
線分ＯＰ上にあり点Ｏから０．３０の距離にある点Ｓ３と、左側頬側床縁と、を結ぶ線分ＯＰに対する垂直線上であって、点Ｓ３から左側頬側床縁側に０．２５の距離に中心点を有する半径０．１２の円内に左側上顎犬歯の尖頭を有し、
線分ＯＱ上にあり点Ｏから０．３０の距離にある点Ｔ３と、右側頬側床縁と、を結ぶ線分ＯＱに対する垂直線上であって、点Ｔ３から右側頬側床縁側に０．２５の距離に中心点を有する半径０．１２の円内に右側上顎犬歯の尖頭を有する請求項３に記載の上顎基準義歯床。
【請求項７】
請求項１乃至６の何れか１項に記載の上顎基準義歯床に、全歯列の人工歯が予め配列されてなることを特徴とする上顎基準義歯。
【請求項８】
床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７４〜０．９４であることを特徴とする下顎基準義歯床。
【請求項９】
点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
線分ｐｑの長さを１とした場合、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
である請求項８に記載の下顎基準義歯床。
【請求項１０】
線分ｐｑの長さを１とした場合、
直線ｄ１ｐ１、ｄ２ｐ２、ｄ３ｐ３及びｅ１ｑ１、ｅ２ｑ２、ｅ３ｑ３と、舌側床縁との交点をそれぞれ点ｂ１、点ｂ２、点ｂ３及び点ｃ１、点ｃ２、点ｃ３とし、
線分ｄ１ｂ１及び線分ｅ１ｃ１の長さがそれぞれ０．１４〜０．４０、
線分ｄ２ｂ２及び線分ｅ２ｃ２の長さがそれぞれ０．１９〜０．４１、
線分ｄ３ｂ３及び線分ｅ３ｃ３の長さがそれぞれ０．２１〜０．４２
である請求項８又は９に記載の下顎基準義歯床。
【請求項１１】
人工歯が少なくとも１歯以上予め配列されている請求項８乃至１０の何れか１項に記載の下顎基準義歯床。
【請求項１２】
線分ｐｑの長さを１とした場合、
線分ｏｐ上にあり点ｏから０．６５の距離にある点ｓ６と、左側頬側床縁と、を結ぶ線分ｏｐに対する垂直線上であって、点ｓ６から左側頬側床縁側に０．０８の距離に中心点を有する半径０．１２の円内に左側下顎第一大臼歯の中心窩を有し、
線分ｏｑ上にあり点ｏから０．６５の距離にある点ｔ６と、右側頬側床縁と、を結ぶ線分ｏｑに対する垂直線上であって、点ｔ６から右側頬側床縁側に０．０８の距離に中心点を有する半径０．１２の円内に右側下顎第一大臼歯の中心窩を有する請求項１１に記載の下顎基準義歯床。
【請求項１３】
線分ｐｑの長さを１とした場合、
直線ｏｍ上であって点ｍから唇側に０．７４〜０．９４の距離に左側下顎中切歯と右側下顎中切歯との歯間部を有する請求項１１に記載の下顎基準義歯床。
【請求項１４】
線分ｐｑの長さを１とした場合、
線分ｏｐ上にあり点ｏから０．２３の距離にある点ｓ３と、左側頬側床縁と、を結ぶ線分ｏｐに対する垂直線上であって、点ｓ３から左側頬側床縁側に０．１７の距離に中心点を有する半径０．１１の円内に左側下顎犬歯の尖頭を有し、
線分ｏｑ上にあり点ｏから０．２３の距離にある点ｔ３と、右側頬側床縁と、を結ぶ線分ｏｑに対する垂直線上であって、点ｔ３から右側頬側床縁側に０．１７の距離に中心点を有する半径０．１１の円内に右側下顎犬歯の尖頭を有する請求項１１に記載の下顎基準義歯床。
【請求項１５】
請求項８乃至１４の何れか１項に記載の下顎基準義歯床に、全歯列の人工歯が予め配列されていることを特徴とする下顎基準義歯。
【請求項１６】
請求項１乃至７の何れか１項に記載の上顎基準義歯床又は上顎基準義歯と、
請求項８乃至１５の何れか１項に記載の下顎基準義歯床又は下顎基準義歯と、
からなる義歯作製キット。
【請求項１７】
請求項１乃至７の何れか１項に記載の上顎基準義歯床又は上顎基準義歯及び／又は、
請求項８乃至１５の何れか１項に記載の下顎基準義歯床又は下顎基準義歯と、
裏装材と、
からなる義歯作製キット。
【請求項１８】
請求項１乃至６の何れか１項に記載の上顎基準義歯床であってサイズが異なる複数の上顎基準義歯床及び／又は、
請求項８乃至１４の何れか１項に記載の下顎基準義歯床であってサイズが異なる複数の下顎基準義歯床と、
からなる義歯作製キット。
【請求項１９】
請求項１乃至６の何れか１項に記載の上顎基準義歯床であってサイズが異なる複数の上顎基準義歯床及び／又は、
請求項８乃至１４の何れか１項に記載の下顎基準義歯床であってサイズが異なる複数の下顎基準義歯床と、
裏装材と、
からなる義歯作製キット。
【請求項２０】
請求項１８又は１９に記載の義歯作製キットから、患者の口のサイズに適合する上顎基準義歯床及び／又は下顎基準義歯床を選択する工程と、
前記上顎基準義歯床及び／又は下顎基準義歯床に人工歯を配列する工程と、
前記上顎基準義歯床及び／又は下顎基準義歯床に裏装材を築盛する工程と、
を有することを特徴とする義歯作製方法。
【請求項２１】
請求項７に記載の上顎基準義歯であってサイズが異なる複数の上顎基準義歯及び／又は、
請求項１５に記載の下顎基準義歯であってサイズが異なる複数の下顎基準義歯と、
からなる義歯作製キット。
【請求項２２】
請求項７に記載の上顎基準義歯であってサイズが異なる複数の上顎基準義歯及び／又は、
請求項１５に記載の下顎基準義歯であってサイズが異なる複数の下顎基準義歯と、
裏装材と、
からなる義歯作製キット。
【請求項２３】
請求項２１又は２２に記載の義歯作製キットから、患者の口のサイズに適合する上顎基準義歯及び／又は下顎基準義歯を選択する工程と、
前記上顎基準義歯及び／又は下顎基準義歯に裏装材を築盛する工程と、
を有することを特徴とする義歯作製方法。
【発明の詳細な説明】
【技術分野】
【０００１】
本発明は、所定形状を有する既製の基準義歯床及び基準義歯に関する。また、これら基準義歯床又は基準義歯を含んで構成される義歯作製キットに関する。さらには、該義歯作製キットを用いる義歯作製方法に関する。
【背景技術】
【０００２】
従来、義歯は主として以下の手順により作製されている。
（１）印象材を用いて患者の口腔内の印象を採得する。
（２）該印象を用いて石膏模型を作製する。
（３）咬合床を患者に装着させて咬合を採得する。
（４）咬合床に人工歯を配列し、蝋義歯を作製する。
（５）蝋義歯を患者に試適させ、咬合を調整する。
（６）蝋義歯を石膏中に埋没して鋳型を作製する。
（７）鋳型に樹脂を注入、硬化させて義歯を作製する。
【０００３】
このように、義歯は患者の口腔形状に合わせて１つずつ手作業で作製されているため、多くの時間を必要とし、歯科医院、歯科技工所及び患者の負担が大きい。また、この義歯の作製方法は、複数回の転写工程を有しているため形状の誤差が生じ易い。さらには、歯科医師及び歯科技工士の技量により、品質が変動し易い。
【０００４】
特許文献１には、金型等を用いて量産された義歯床を用いる義歯の作製方法が開示されている。特許文献２には、可塑性である光重合性組成物からなる義歯床部材に、少なくとも一本の人工歯が配列する補綴義歯前駆体を用いる義歯の作製方法が開示されている。これらの方法は、一部の工程の簡略化が図れるものの、依然として石膏模型を作製する必要があるため、十分に簡略化されているとは言い難い。また、無歯顎者の口腔形状を基に作製される義歯床は、歯槽頂の吸収が患者毎に異なっているため、義歯床の形状を予め定めて量産化することが困難である。
【０００５】
特許文献３には、予め作製された基準義歯床であって、歯頂部に凹部を有する基準義歯床を用いる義歯の作製方法が開示されている。しかし、特許文献３には、基準義歯床の形状が開示されていない。また、人工歯を配列する必要があり煩雑である。
【０００６】
従来の義歯作製方法は、歯槽頂間線法則に基づいて作製されるのが一般的であったが、前述のように本義歯作製方法は、煩雑であることが問題であった。さらに、患者の高齢化が進んだ現代においては、上記方法で作製した義歯は歯槽骨の退縮が著しい場合、正常な咬合を得ることが困難となり、交叉咬合等の問題が生じていた。そこで、近年は、有歯顎時に歯列弓が存在していたとされる筋圧中立帯に合わせて義歯形状を定めるデンチャースペース理論に基づく義歯作製方法が提唱されている。しかし、デンチャースペース理論に基づく義歯作製方法を習得するためには多くの時間を要する。また、デンチャースペース理論に基づく義歯作製方法であっても、義歯作製方法自体は従来と同様に煩雑である。そのため、デンチャースペース理論に基づく義歯であって、簡易な方法で作製できる義歯が求められている。
【先行技術文献】
【特許文献】
【０００７】
【特許文献１】特開平６−６３０６５号公報
【特許文献２】特開１９９３−１９２３５３号公報
【特許文献３】特開平４−２１８１５１号公報
【発明の概要】
【発明が解決しようとする課題】
【０００８】
本発明の課題は、多くの患者に適合可能な既製の義歯床又は義歯を提供することにある。また、義歯作製工程を簡略化して義歯の作製時間を短縮することにある。
【課題を解決するための手段】
【０００９】
本発明は、前記課題を解決するため、有歯顎者及び無歯顎者の口腔形状を基に義歯床の形状を定め、該形状に基づいて義歯床を作製することに想到した。そして、この方法により作製される所定形状の義歯床は、多くの無歯顎者に適用可能であることを見出し、本発明を完成するに至った。
【００１０】
上記課題を解決する本発明は以下に記載するとおりである。なお、本願明細書において、基準義歯床とは、既製の義歯床及び該義歯床に人工歯が少なくとも１歯予め配列されている義歯床をいい、基準義歯とは、既製の義歯床に全歯列の人工歯が予め配列されているものをいう。
【００１１】
〔１〕  床後縁の左側翼突上顎切痕に相当する点Ｐと右側翼突上顎切痕に相当する点Ｑとを結ぶ線分ＰＱの長さを１とした場合、
唇側床縁の正中にあたる上唇小帯に相当する点Ｏと線分ＰＱの中点Ｍとを結ぶ線分ＯＭの長さが０．７６〜０．９８であることを特徴とする上顎基準義歯床。
【００１２】
〔２〕  点Ｏと点Ｐとを結ぶ線分ＯＰを４等分する各点を、点Ｏ側から点Ｐ１、点Ｐ２、点Ｐ３とし、線分ＯＰ上の点Ｐ１、点Ｐ２、点Ｐ３からの垂直線が左側頬側床縁と交わる点を点Ｄ１、点Ｄ２、点Ｄ３とし、
点Ｏと点Ｑとを結ぶ線分ＯＱを４等分する各点を、点Ｏ側から点Ｑ１、点Ｑ２、点Ｑ３とし、線分ＯＱ上の点Ｑ１、点Ｑ２、点Ｑ３からの垂直線が右側頬側床縁と交わる点を点Ｅ１、点Ｅ２、点Ｅ３とし、
線分ＰＱの長さを１とした場合、
線分Ｐ１Ｄ１及び線分Ｑ１Ｅ１の長さがそれぞれ０．１１〜０．３６、
線分Ｐ２Ｄ２及び線分Ｑ２Ｅ２の長さがそれぞれ０．１９〜０．４５、
線分Ｐ３Ｄ３及び線分Ｑ３Ｅ３の長さがそれぞれ０．１６〜０．４５
である〔１〕に記載の上顎基準義歯床。
【００１３】
上記〔１〕〜〔２〕に記載の発明は、所定形状の上顎基準義歯床である。この上顎基準義歯床はデンチャースペース理論に基づく所定形状を有している。
【００１４】
〔３〕  人工歯が少なくとも１歯以上予め配列されている〔１〕又は〔２〕に記載の上顎基準義歯床。
【００１５】
〔４〕  線分ＰＱの長さを１とした場合、
線分ＯＰ上にあり点Ｏから０．７４の距離にある点Ｓ６と、左側頬側床縁と、を結ぶ線分ＯＰに対する垂直線上であって、点Ｓ６から左側頬側床縁側に０．１１の距離に中心点を有する半径０．１４の円内に左側側上顎第一大臼歯の中心窩を有し、
線分ＯＱ上にあり点Ｏから０．７４の距離にある点Ｔ６と、右側頬側床縁と、を結ぶ線分ＯＱに対する垂直線上であって、点Ｔ６から右側頬側床縁側に０．１１の距離に中心点を有する半径０．１４の円内に右側上顎第一大臼歯の中心窩を有する〔３〕に記載の上顎基準義歯床。
【００１６】
〔５〕  線分ＰＱの長さを１とした場合、
直線ＯＭ上であって点Ｍから唇側に０．７６〜１．１４の距離に左側上顎中切歯と右側上顎中切歯との歯間部を有する〔３〕に記載の上顎基準義歯床。
【００１７】
〔６〕  線分ＰＱの長さを１とした場合、
線分ＯＰ上にあり点Ｏから０．３０の距離にある点Ｓ３と、左側頬側床縁と、を結ぶ線分ＯＰに対する垂直線上であって、点Ｓ３から左側頬側床縁側に０．２５の距離に中心点を有する半径０．１２の円内に左側上顎犬歯の尖頭を有し、
線分ＯＱ上にあり点Ｏから０．３０の距離にある点Ｔ３と、右側頬側床縁と、を結ぶ線分ＯＱに対する垂直線上であって、点Ｔ３から右側頬側床縁側に０．２５の距離に中心点を有する半径０．１２の円内に右側上顎犬歯の尖頭を有する〔３〕に記載の上顎基準義歯床。
【００１８】
上記〔３〕〜〔６〕に記載の発明は、所定形状の上顎義歯床に人工歯が少なくとも１歯以上配列されている上顎基準義歯床である。これらの基準義歯床を用いる場合、基準となる歯列が予め配列されているため、歯列の配列時間が短縮される。
【００１９】
〔７〕  〔１〕乃至〔６〕の何れか１項に記載の上顎基準義歯床に、全歯列の人工歯が予め配列されてなることを特徴とする上顎基準義歯。
【００２０】
上記〔７〕に記載の発明は、所定形状の上顎基準義歯床に全歯列の人工歯が配列されている上顎基準義歯である。この基準義歯を用いる場合、全歯列が予め配列されているため、歯列の配列を省略できる。
【００２１】
〔８〕  床後縁の左側臼後隆起に相当する点ｐと右側臼後隆起に相当する点ｑとを結ぶ線分ｐｑの長さを１とした場合、
唇側床縁の正中にあたる下唇小帯に相当する点ｏと線分ｐｑの中点ｍとを結ぶ線分ｏｍの長さが０．７４〜０．９４であることを特徴とする下顎基準義歯床。
【００２２】
〔９〕  点ｏと点ｐとを結ぶ線分ｏｐを４等分する各点を、点ｏ側から点ｐ１、点ｐ２、点ｐ３とし、線分ｏｐ上の点ｐ１、点ｐ２、点ｐ３からの垂直線が左側頬側床縁と交わる点を点ｄ１、点ｄ２、点ｄ３とし、
点ｏと点ｑとを結ぶ線分ｏｑを４等分する各点を、点ｏ側から点ｑ１、点ｑ２、点ｑ３とし、線分ｏｑ上の点ｑ１、点ｑ２、点ｑ３からの垂直線が右側頬側床縁と交わる点を点ｅ１、点ｅ２、点ｅ３とし、
線分ｐｑの長さを１とした場合、
線分ｐ１ｄ１及び線分ｑ１ｅ１の長さがそれぞれ０．１１〜０．３２、
線分ｐ２ｄ２及び線分ｑ２ｅ２の長さがそれぞれ０．１３〜０．３４、
線分ｐ３ｄ３及び線分ｑ３ｅ３の長さがそれぞれ０．１４〜０．３３
である〔８〕に記載の下顎基準義歯床。
【００２３】
〔１０〕  線分ｐｑの長さを１とした場合、
直線ｄ１ｐ１、ｄ２ｐ２、ｄ３ｐ３及びｅ１ｑ１、ｅ２ｑ２、ｅ３ｑ３と、舌側床縁との交点をそれぞれ点ｂ１、点ｂ２、点ｂ３及び点ｃ１、点ｃ２、点ｃ３とし、
線分ｄ１ｂ１及び線分ｅ１ｃ１の長さがそれぞれ０．１４〜０．４０、
線分ｄ２ｂ２及び線分ｅ２ｃ２の長さがそれぞれ０．１９〜０．４１、
線分ｄ３ｂ３及び線分ｅ３ｃ３の長さがそれぞれ０．２１〜０．４２
である〔８〕又は〔９〕に記載の下顎基準義歯床。
【００２４】
上記〔８〕〜〔１０〕に記載の発明は、所定形状の下顎基準義歯床である。この下顎基準義歯床はデンチャースペース理論に基づく所定形状を有している。
【００２５】
〔１１〕  人工歯が少なくとも１歯以上予め配列されている〔８〕乃至〔１０〕の何れかに記載の下顎基準義歯床。
【００２６】
〔１２〕  線分ｐｑの長さを１とした場合、
線分ｏｐ上にあり点ｏから０．６５の距離にある点ｓ６と、左側頬側床縁と、を結ぶ線分ｏｐに対する垂直線上であって、点ｓ６から左側頬側床縁側に０．０８の距離に中心点を有する半径０．１２の円内に左側下顎第一大臼歯の中心窩を有し、
線分ｏｑ上にあり点ｏから０．６５の距離にある点ｔ６と、右側頬側床縁と、を結ぶ線分ｏｑに対する垂直線上であって、点ｔ６から右側頬側床縁側に０．０８の距離に中心点を有する半径０．１２の円内に右側下顎第一大臼歯の中心窩を有する〔１１〕に記載の下顎基準義歯床。
【００２７】
〔１３〕  線分ｐｑの長さを１とした場合、
直線ｏｍ上であって点ｍから唇側に０．７４〜０．９４の距離に左側下顎中切歯と右側下顎中切歯との歯間部を有する〔１１〕に記載の下顎基準義歯床。
【００２８】
〔１４〕  線分ｐｑの長さを１とした場合、
線分ｏｐ上にあり点ｏから０．２３の距離にある点ｓ３と、左側頬側床縁と、を結ぶ線分ｏｐに対する垂直線上であって、点ｓ３から左側頬側床縁側に０．１７の距離に中心点を有する半径０．１１の円内に左側下顎犬歯の尖頭を有し、
線分ｏｑ上にあり点ｏから０．２３の距離にある点ｔ３と、右側頬側床縁と、を結ぶ線分ｏｑに対する垂直線上であって、点ｔ３から右側頬側床縁側に０．１７の距離に中心点を有する半径０．１１の円内に右側下顎犬歯の尖頭を有する〔１１〕に記載の下顎基準義歯床。
【００２９】
上記〔１１〕〜〔１４〕に記載の発明は、所定形状の下顎義歯床に人工歯が少なくとも１歯以上配列されている下顎基準義歯床である。これらの基準義歯床を用いる場合、基準となる歯列が予め配列されているため、歯列の配列時間が短縮される。
【００３０】
〔１５〕  〔８〕乃至〔１４〕の何れかに記載の下顎基準義歯床に、全歯列の人工歯が予め配列されていることを特徴とする下顎基準義歯。
【００３１】
上記〔１５〕に記載の発明は、所定形状の下顎基準義歯床に全歯列の人工歯が配列されている下顎基準義歯である。この基準義歯を用いる場合、全歯列が予め配列されているため、歯列の配列を省略できる。
【００３２】
〔１６〕  〔１〕乃至〔７〕の何れか１項に記載の上顎基準義歯床又は上顎基準義歯と、
〔８〕乃至〔１５〕の何れか１項に記載の下顎基準義歯床又は下顎基準義歯と、
からなる義歯作製キット。
【００３３】
〔１７〕  〔１〕乃至〔７〕の何れか１項に記載の上顎基準義歯床又は上顎基準義歯及び／又は、
〔８〕乃至〔１５〕の何れか１項に記載の下顎基準義歯床又は下顎基準義歯と、
裏装材と、
からなる義歯作製キット。
【００３４】
上記〔１６〕〜〔１７〕に記載の発明は、上顎及び／又は下顎の基準義歯床又は基準義歯から成る義歯作製キットである。この義歯作製キットを用いることにより、１組の義歯床又は義歯を作製できる。
【００３５】
〔１８〕  〔１〕乃至〔６〕の何れか１項に記載の上顎基準義歯床であってサイズが異なる複数の上顎基準義歯床及び／又は、
〔８〕乃至〔１４〕の何れか１項に記載の下顎基準義歯床であってサイズが異なる複数の下顎基準義歯床と、
からなる義歯作製キット。
〔１９〕  〔１〕乃至〔６〕の何れか１項に記載の上顎基準義歯床であってサイズが異なる複数の上顎基準義歯床及び／又は、
〔８〕乃至〔１４〕の何れか１項に記載の下顎基準義歯床であってサイズが異なる複数の下顎基準義歯床と、
裏装材と、
からなる義歯作製キット。
【００３６】
上記〔１８〕及び〔１９〕に記載の発明は、サイズが異なる複数の基準義歯床から患者の口腔サイズに適合する基準義歯床を選択する義歯作製キットに関する。この義歯作製キットを用いる以下の〔２０〕の方法により、適合率の高い義歯を短時間で作製できる。
【００３７】
〔２０〕  〔１８〕又は〔１９〕に記載の義歯作製キットから、患者の口腔サイズに適合する上顎基準義歯床及び／又は下顎基準義歯床を選択する工程と、
前記上顎基準義歯床及び／又は下顎基準義歯床に人工歯を配列する工程と、
前記上顎基準義歯床及び／又は下顎基準義歯床に裏装材を築盛する工程と、
を有することを特徴とする義歯作製方法。
【００３８】
〔２１〕  〔７〕に記載の上顎基準義歯であってサイズが異なる複数の上顎基準義歯及び／又は、
〔１５〕に記載の下顎基準義歯であってサイズが異なる複数の下顎基準義歯と、
からなる義歯作製キット。
【００３９】
〔２２〕  〔７〕に記載の上顎基準義歯であってサイズが異なる複数の上顎基準義歯及び／又は、
〔１５〕に記載の下顎基準義歯であってサイズが異なる複数の下顎基準義歯と、
裏装材と、
からなる義歯作製キット。
【００４０】
上記〔２１〕及び〔２２〕に記載の発明は、サイズが異なる複数の基準義歯から患者の口腔形状に適合する義歯を選択する義歯作製キットに関する。この義歯作製キットを用いる以下の〔２３〕の方法により、適合率の高い義歯を短時間で作製できる。
【００４１】
〔２３〕〔２１〕又は〔２２〕に記載の義歯作製キットから、患者の口腔サイズに適合する上顎基準義歯及び／又は下顎基準義歯を選択する工程と、
前記上顎基準義歯及び／又は下顎基準義歯に裏装材を築盛する工程と、
を有することを特徴とする義歯作製方法。
【発明の効果】
【００４２】
本発明の基準義歯床は、所定形状を有しているため、裏装材を築盛するだけで容易に患者の口腔形状に適合させることができる。即ち、従来の義歯作製の工程において、既製化された義歯床を用いることによって、義歯の作製時間を短縮することができる。また、本発明の基準義歯は、所定形状の基準義歯床に全歯列の人工歯が予め配列されているため、裏装材を築盛するだけで容易に義歯を作製することができる。即ち、従来の義歯作製の工程において、既製化された義歯床を用いるとともに、全歯列を予め配列しておくことにより、義歯の作製時間を大幅に短縮することができる。これにより、歯科医師、歯科技工士及び患者の負担を大幅に低減することができる。
【００４３】
本発明の基準義歯床は、従来のように、個別の患者の口腔形状の印象を採取し、作製されるものではなく、有歯顎者の口腔形状を統計的に定めてデンチャースペース理論に基づいて作製されているため、数種類の基準義歯床を用意しておけば、ほぼ全ての患者に対して適合率の高い義歯を作製できる。また、歯槽頂の吸収が激しい難症例の患者にも適合できる。
【図面の簡単な説明】
【００４４】
【図１】図１は、本発明の基準義歯を患者に装着した状態を示す説明図である。
【図２】図２は、本発明の上顎基準義歯床の形状を示す平面図である。
【図３】図３は、本発明の上顎基準義歯床に配列される人工歯の位置を示す平面図である。
【図４】図４は、本発明の上顎基準義歯の一例を示す平面図である。
【図５】図５は、本発明の下顎基準義歯床の形状を示す平面図である。
【図６】図６は、本発明の下顎基準義歯床に配列される人工歯の位置を示す平面図である。
【図７】図７は、本発明の下顎基準義歯の一例を示す平面図である。
【発明を実施するための形態】
【００４５】
以下、図面を参照しながら本発明を詳細に説明する。
【００４６】
図１は、本発明の基準義歯床を患者に装着した状態を示す説明図である。図１中、１００は上顎基準義歯床で、２００は下顎基準義歯床である（以下、これらを単に「基準義歯床」ともいう。）。１０１は人工歯であり、基準義歯床に全ての歯列が配列されると、これらの人工歯と基準義歯床とからなる基準義歯が完成される。
【００４７】
図１中、点Ｏは、唇側床縁の正中にあたる上唇小帯に相当する点であり、点Ｐは、床後縁の左側翼突上顎切痕に相当する点である。上顎基準義歯床１００の左側頬側床縁５０は、点Ｄ１〜Ｄ３を有している（後述）。点ｏは、唇側床縁の正中にあたる下唇小帯に相当する点である。点ｐは、床後縁の左側臼後隆起に相当する点である。下顎基準義歯床２００の左側頬側床縁５２は、点ｄ１〜ｄ３を有している（後述）。本発明の基準義歯床は、これらの点の相対的な位置関係が所定範囲にあることを特徴としている。
【００４８】
（上顎基準義歯床）
図２は、本発明の上顎基準義歯床１００の一例を示す平面図である。図２中、点Ｏは、唇側床縁の正中にあたる上唇小帯に相当する点である。点Ｐは、床後縁の左側翼突上顎切痕に相当する点であり、点Ｑは、床後縁の右側翼突上顎切痕に相当する点である。点Ｍは、点Ｐと点Ｑとを結ぶ線分ＰＱの中点である。本発明の基準義歯床は、線分ＰＱの長さを１としたとき、点Ｏと点Ｍとを結ぶ線分ＯＭの長さが、０．７６〜０．９８の範囲にあり、０．８１〜０．９３の範囲にあることが好ましく、０．８６〜０．８８の範囲にあることがより好ましい。この形状を有する上顎基準義歯床は、裏装材を築盛することによって、多くの無歯顎者に適合させることができる。
【００４９】
図２中、点Ｐ１〜Ｐ３は、線分ＯＰを４等分する点である。即ち、線分ＯＰ１、線分Ｐ１Ｐ２、線分Ｐ２Ｐ３、線分Ｐ３Ｐの長さは等しい。点Ｄ１〜Ｄ３は、点Ｐ１〜Ｐ３の各点それぞれからの線分ＯＰに対する垂直線が左側頬側床縁５０と交わる点である。点Ｑ１〜Ｑ３は、線分ＯＱを４等分する点である。即ち、線分ＯＱ１、線分Ｑ１Ｑ２、線分Ｑ２Ｑ３、線分Ｑ３Ｑの長さは等しい。点Ｅ１〜Ｅ３は、点Ｑ１〜Ｑ３の各点それぞれからの線分ＯＱに対する垂直線が右側頬側床縁５１と交わる点である。
【００５０】
本発明の上顎基準義歯床は、線分ＰＱの長さを１としたとき、線分Ｐ１Ｄ１及び線分Ｑ１Ｅ１の長さは、それぞれ０．１１〜０．３６の範囲であることが好ましく、０．１６〜０．３１の範囲であることがより好ましく、０．２１〜０．２６の範囲であることが特に好ましい。また、線分Ｐ２Ｄ２及び線分Ｑ２Ｅ２の長さは、それぞれ０．１９〜０．４５の範囲であることが好ましく、０．２４〜０．４０の範囲であることがより好ましく、０．２９〜０．３５の範囲であることが特に好ましい。さらに、線分Ｐ３Ｄ３及び線分Ｑ３Ｅ３の長さは、それぞれ０．１６〜０．４５の範囲であることが好ましく、０．２１〜０．４０の範囲であることがより好ましく、０．２６〜０．３５の範囲であることが特に好ましい。この形状を有する上顎基準義歯床は、さらに高い適合率で無歯顎者に適合させることができる。
【００５１】
本発明の上顎基準義歯床には、人工歯が少なくとも１歯以上予め配列されていることが好ましい。予め人工歯が配列されている場合、該人工歯を基準として、Ｔｈｏｍｐｓｏｎの分類基準による方形、帯円方形、帯円形、帯円Ｖ字形の何れかの歯列弓を形成するように他の歯列を配列することにより、人工歯の配列時間を短縮できる。本発明の上顎基準義歯床には、人工歯を配列するための凹部を有していても良い。
【００５２】
図３は、本発明の上顎基準義歯床に配列される人工歯の位置を示す説明図である。点Ｓ６は、線分ＰＱの長さを１とし、線分ＯＰ上にあり、点Ｏから０．７４の距離にある。点Ｔ６は、線分ＰＱの長さを１とし、線分ＯＱ上にあり、点Ｏから０．７４の距離にある。左側上顎第一大臼歯は、点Ｓ６から左側頬側床縁５０側への線分ＯＰに対する垂直線上であって点Ｓ６から左側頬側床縁５０側に０．１１の距離に中心点を有する半径０．１４の円内に、その中心窩を有するように配列されていることが好ましく、半径０．０８の円内であることが特に好ましい。同様に、右側上顎第一大臼歯は、点Ｔ６から右側頬側床縁５１側への線分ＯＱに対する垂直線上であって点Ｔ６から右側頬側床縁５１側に０．１１の距離に中心点を有する半径０．１４の円内に、その中心窩を有するように配列されていることが好ましく、半径０．０８の円内であることが特に好ましい。
【００５３】
また、左右上顎中切歯は、線分ＰＱの長さを１とし、直線ＯＭ上において点Ｍから唇側に０．７６〜１．１４の距離に、左側上顎中切歯と右側上顎中切歯との歯間部を有するように隣接して配列されていることが好ましく、０．８６〜１．０４の距離であることがより好ましく、０．９１〜０．９９の距離であることが特に好ましい。
【００５４】
点Ｓ３は、線分ＰＱの長さを１とし、線分ＯＰ上にあり、点Ｏから０．３０の距離にある。点Ｔ３は、線分ＰＱの長さを１とし、線分ＯＱ上にあり、点Ｏから０．３０の距離にある。左側上顎犬歯は、点Ｓ３から左側頬側床縁５０側への線分ＯＰに対する垂直線上であって点Ｓ３から左側頬側床縁５０側に０．２５の距離に中心点を有する半径０．１２の円内に、その尖頭を有するように配列されていることが好ましく、半径０．０７の円内であることが特に好ましい。同様に、右側上顎犬歯は、点Ｔ３から右側頬側床縁５１側への線分ＯＱに対する垂直線上であって点Ｔ３から右側頬側床縁５１側に０．２５の距離に中心点を有する半径０．１２の円内に、その尖頭を有するように配列されていることが好ましく、半径０．０７の円内であることが特に好ましい。
【００５５】
（上顎基準義歯）
本発明の上顎基準義歯は、前記上顎基準義歯床に全歯列の人工歯が予め配列されてなる。図４は、本発明の上顎基準義歯床に全ての人工歯が配列されてなる上顎基準義歯の一例を示す平面図である。図４中、１１は上顎中切歯であり、１１ａは左側上顎中切歯と右側上顎中切歯との歯間部である。１２は上顎側切歯、１３は上顎犬歯、１４は上顎第一小臼歯、１５は上顎第二小臼歯、１６は上顎第一大臼歯、１７は上顎第二大臼歯である。１６ａは下顎第一大臼歯の中心窩である。
【００５６】
これらの人工歯が配列される位置は特に制限されないが、前記説明した位置に配列されていることが好ましい。また、これらの歯列弓は、Ｔｈｏｍｐｓｏｎの分類基準による方形、帯円方形、帯円形、帯円Ｖ字形の何れかによって形成されていることが好ましい。
【００５７】
（下顎基準義歯床）
図５は、本発明の下顎基準義歯床２００の一例を示す平面図である。図５中、点ｏは、唇側床縁の正中にあたる下唇小帯に相当する点である。点ｐは、床後縁の左側臼後隆起に相当する点であり、点ｑは、床後縁の右側臼後隆起に相当する点である。点ｍは、点ｐと点ｑとを結ぶ線分ｐｑの中点である。本発明の下顎基準義歯床は、線分ｐｑの長さを１としたとき、点ｏと点ｍとを結ぶ線分ｏｍの長さが、０．７６〜０．９４の範囲にあり、０．８０〜０．９０の範囲にあることが好ましく、０．８４〜０．８６の範囲にあることがより好ましい。この形状を有する下顎基準義歯床は、裏装材を築盛することによって、多くの無歯顎者に適合させることができる。
【００５８】
図５中、点ｐ１〜ｐ３は、線分ｏｐを４等分する点である。即ち、線分ｏｐ１、線分ｐ１ｐ２、線分ｐ２ｐ３、線分ｐ３ｐの長さは等しい。点ｄ１〜ｄ３は、点ｐ１〜ｐ３の各点それぞれからの線分ｏｐに対する垂直線が左側頬側床縁５２と交わる点である。点ｑ１〜ｑ３は、線分ｏｑを４等分する点である。即ち、線分ｏｑ１、線分ｑ１ｑ２、線分ｑ２ｑ３、線分ｑ３ｑの長さは等しい。点ｅ１〜ｅ３は、点ｑ１〜ｑ３の各点それぞれからの線分ｏｑに対する垂直線が右側頬側床縁５３と交わる点である。
【００５９】
本発明の下顎基準義歯床は、線分ｐｑの長さを１としたとき、線分ｐ１ｄ１及び線分ｑ１ｅ１の長さは、それぞれ０．１１〜０．３２の範囲であることが好ましく、０．１５〜０．２８の範囲であることがより好ましく、０．１９〜０．２４の範囲であることが特に好ましい。また、線分ｐ２ｄ２及び線分ｑ２ｅ２の長さは、それぞれ０．１３〜０．３４の範囲であることが好ましく、０．１７〜０．３０の範囲であることがより好ましく、０．２１〜０．２６の範囲であることが特に好ましい。さらに、線分ｐ３ｄ３及び線分ｑ３ｅ３の長さは、それぞれ０．１４〜０．３３の範囲であることが好ましく、０．１８〜０．２９の範囲であることがより好ましく、０．２２〜０．２５の範囲であることが特に好ましい。この形状を有する下顎基準義歯床は、より高い適合率で無歯顎者に適合させることができる。
【００６０】
図５中、点ｂ１〜ｂ３は、点ｐ１〜ｐ３の各点それぞれからの線分ｏｐに対する垂直線が舌側床縁と交わる点である。点ｃ１〜ｃ３は、点ｑ１〜ｑ３の各点それぞれからの線分ｏｑに対する垂直線が舌側床縁と交わる点である。
【００６１】
本発明の下顎基準義歯床は、線分ｐｑの長さを１としたとき、線分ｄ１ｂ１及び線分ｅ１ｃ１の長さは、それぞれ０．１４〜０．４０の範囲であることが好ましく、０．１９〜０．３５の範囲であることがより好ましく、０．２４〜０．３０の範囲であることが特に好ましい。また、線分ｄ２ｂ２及び線分ｅ２ｃ２の長さは、それぞれ０．１９〜０．４１の範囲であることが好ましく、０．２４〜０．３６の範囲であることがより好ましく、０．２９〜０．３１の範囲であることが特に好ましい。さらに、線分ｄ３ｂ３及び線分ｅ３ｃ３の長さは、それぞれ０．２１〜０．４２の範囲であることが好ましく、０．２５〜０．３８の範囲であることがより好ましく、０．３０〜０．３４の範囲であることが特に好ましい。この形状を有する下顎基準義歯床は、さらに高い適合率で無歯顎者に適合させることができる。
【００６２】
本発明の下顎基準義歯床には、人工歯が少なくとも１歯以上予め配列されていることが好ましい。予め人工歯が配列されている場合、該人工歯を基準として、Ｔｈｏｍｐｓｏｎの分類基準による方形、帯円方形、帯円形、帯円Ｖ字形の何れかの歯列弓を形成するように他の歯列を配列することにより、人工歯の配列時間を短縮できる。
【００６３】
図６は、本発明の下顎基準義歯床に配列される人工歯の位置を示す説明図である。点ｓ６は、線分ｐｑの長さを１とし、線分ｏｐ上にあり、点ｏから０．６５の距離にある。点ｔ６は、線分ｐｑの長さを１とし、線分ｏｑ上にあり、点ｏから０．６５の距離にある。左側下顎第一大臼歯は、点ｓ６から左側頬側床縁５２側への線分ｏｐに対する垂直線上であって点ｓ６から左側頬側床縁５２側に０．０８の距離に中心点を有する半径０．１２の円内に、その中心窩を有するように配列されていることが好ましく、半径０．０８の円内であることが特に好ましい。同様に、右側下顎第一大臼歯は、点ｔ６から右側頬側床縁５３側への線分ｏｑに対する垂直線上であって点ｔ６から右側頬側床縁５３側に０．０８の距離に中心点を有する半径０．１２の円内に、その中心窩を有するように配列されていることが好ましく、半径０．０８の円内であることが特に好ましい。
【００６４】
また、左右下顎中切歯は、線分ｐｑの長さを１とし、直線ｏｍ上において点ｍから唇側に０．７４〜０．９４の距離に、左側下顎中切歯と右側下顎中切歯との歯間部を有するように隣接して配列されていることが好ましく、０．７９〜０．８９の距離であることがより好ましく、０．８３〜０．８５の距離であることが特に好ましい。
【００６５】
点ｓ３は、線分ｐｑの長さを１とし、線分ｏｐ上にあり、点ｏから０．２３の距離にある。点ｔ３は、線分ｐｑの長さを１とし、線分ｏｑ上にあり、点ｏから０．２３の距離にある。左側下顎犬歯は、点ｓ３から左側頬側床縁５２側への線分ｏｐに対する垂直線上であって点ｓ３から左側頬側床縁５２側に０．１７の距離に中心点を有する半径０．１１の円内に、その尖頭を有するように配列されていることが好ましく、半径０．０８の円内であることが特に好ましい。同様に、右側下顎犬歯は、点ｔ３から右側頬側床縁５３側への線分ｏｑに対する垂直線上であって点ｔ３から右側頬側床縁５３側に０．１７の距離に中心点を有する半径０．１１の円内に、その尖頭を有するように配列されていることが好ましく、半径０．０８の円内であることが特に好ましい。
【００６６】
（下顎基準義歯）
本発明の下顎基準義歯は、前記下顎基準義歯床に全歯列の人工歯が予め配列されてなる。図７は、本発明の下顎基準義歯床に全ての人工歯が配列されてなる下顎基準義歯の一例を示す平面図である。図７中、２１は下顎中切歯であり、２１ａは左側下顎中切歯と右側下顎中切歯との歯間部である。２２は下顎側切歯、２３は下顎犬歯、２４は下顎第一小臼歯、２５は下顎第二小臼歯、２６は下顎第一大臼歯、２７は下顎第二大臼歯である。２６ａは下顎第一大臼歯の中心窩である。
これらの人工歯が配列される位置は特に制限されないが、前記説明した位置に配列されていることが好ましい。また、これらの歯列弓は、Ｔｈｏｍｐｓｏｎの分類基準による方形、帯円方形、帯円形、帯円Ｖ字形の何れかによって形成されていることが好ましい。
【００６７】
（義歯作製キット）
本発明の義歯作製キットは、本発明の上顎基準義歯床又は上顎基準義歯、及び／又は本発明の下顎基準義歯床又は下顎基準義歯からなり、裏装材を含んでいても良い。基準義歯床を用いる場合、患者の口腔サイズに合致するように裏装材を築盛し、かつ人工歯を配列することにより、義歯が作製される。基準義歯を用いる場合、患者の口腔形状に合致するように裏装材を築盛することにより、義歯が作製される。
【００６８】
（義歯作製キット）
本発明の義歯作製キットは、それぞれサイズが異なる複数の上顎基準義歯床又は上顎基準義歯と下顎基準義歯床又は下顎基準義歯とを予め用意しておくことが好ましい。これにより、より患者への適合率を高めることができる。なお、上顎基準義歯床又は上顎基準義歯及び下顎基準義歯床又は下顎基準義歯のサイズは、それぞれ２〜１０種類用意しておくことが好ましく、２〜５種類用意しておくことがより好ましく、３種類用意しておくことが特に好ましい。
【００６９】
本発明の義歯作製キットを用いて義歯を作成する方法を以下に説明する。
先ず、患者の口腔サイズに適合する上顎基準義歯床又は上顎基準義歯、及び／又は下顎基準義歯床又は下顎基準義歯を選択する。このような基準義歯床の選択は、口腔サイズの計測を基に決定できる。口腔サイズを計測する方法は、公知の方法を用いることができるが、例えば、目視・触診による計測、印象用トレーの試適によるサイズの計測等が挙げられる。基準義歯床が選択された場合には、これらの選択された上顎基準義歯床及び下顎基準義歯床にそれぞれ人工歯が配列されて上顎基準義歯及び下顎基準義歯が作製される。さらに、上顎基準義歯及び下顎基準義歯には、それぞれ裏装材を築盛されて患者の口腔形状に完全に適合される。人工歯の配列と裏装材の築盛とはどちらを先に行っても良い。次いで、患者の口腔に試適された後、咬合が調整される。これにより、患者の口腔形状に合致した義歯が作製される。
【００７０】
本発明の基準義歯床の材料は公知のものがなんら制限なく使用できる。具体的に例示すれば、メチル（メタ）アクリレート、エチル（メタ）アクリレート、イソプロピル（メタ）アクリレート、ｎ−プロピル（メタ）アクリレート、ブチル（メタ）アクリレートの単独重合体もしくはこれらの共重合体から少なくとも一つ選ばれるポリ（メタ）アクリレート系樹脂、並びにポリオレフィン系樹脂（例えば、ポリプロピレン）、ポリアミド系樹脂（例えば、ナイロン６６（登録商標））、ポリエステル系樹脂（例えば、ポリカーボネート）、ポリエーテル系樹脂（例えば、ポリアセタール、ポリサルフォン）、ポリニトリル系樹脂（例えば、ポリアクリロニトリル）、ポリビニル系樹脂（例えば、ポリ酢酸ビニル）、セルロース系樹脂（例えば、酢酸セルロース）、フッ素系樹脂（例えば、ポリクロルフルオロエチレン）、イミド系樹脂（例えば、芳香族ポリイミド）等が挙げられる。
【００７１】
本発明における基準義歯床には、義歯床の強度を向上させるためにフィラーを含有させることもできる。該フィラーは、有機フィラーであっても無機フィラーであっても良い。また、無機フィラーに重合性単量体を予め添加し、ペースト状にした後、重合させ、粉砕して得られる粒状の有機−無機複合フィラーを用いても良い。
【００７２】
本発明の基準義歯床は、その一部が金属で形成されていても良い。
【００７３】
本発明の基準義歯床は、公知の方法によって成形される。例えば、射出成形や圧縮成形等が挙げられる。
【００７４】
裏装材としては、公知ものが何ら制限なく使用さできる。例えば、基準義歯床の材料として説明した上述のポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン樹脂等が挙げられる。  
【００７５】
本発明において人工歯としては、樹脂製やセラミック製の公知の人工歯を用いることができる。樹脂製の人工歯としては、上述のポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン系樹脂等を材質とする人工歯が例示される。人工歯の固定方法としては、嵌合、接着等従来公知の方法が何等制限なく使用できる。
【実施例】
【００７６】
（適合率）
本実施例において適合率は、基準義歯床又は基準義歯を裏装後、形状の異なる２０種類の無歯顎全顎模型に試適した際の適合する模型数の割合で評価した。
【００７７】
（配列時間）
本実施例において配列時間は、参考例におけるオーダーメイドの義歯（従来法）を作製する場合に全歯列の人工歯を配列するのに要する時間を１００％とし、各実施例の基準義歯床に人工歯を配列するのに要した時間の割合で評価した。
【００７８】
（咬合調整時間）
本実施例において咬合調整時間は、オーダーメイドの義歯（従来法）を作製する場合に咬合を調整するのに要する時間を１００％とし、各実施例の基準義歯床に咬合を調整するのに要した時間の割合で評価した。
【００７９】
（実施例１−２０、比較例１−４）
表１に記載する形状の上顎基準義歯床を作製し、適合率、配列時間、咬合調整時間を評価した。評価結果は表１に示した。なお、左側を代表値として示しているが、右側は左側と同じ値で作製した。
【００８０】
（実施例２１−４０、比較例５−８）
表２に記載する形状の下顎基準義歯床を作製し、適合率、配列時間、咬合調整時間を評価した。評価結果は表２に示した。なお、左側を代表値として示しているが、右側は左側と同じ値で作製した。
【００８１】
表中、６番とは第一大臼歯、１番とは中切歯、３番とは犬歯である。また、第一大臼歯（６番）又は犬歯（３番）の場合における「０」とは、人工歯の中心窩（第一大臼歯の場合）又は尖頭（犬歯の場合）が本願で規定する所定円内の中心となるように配列されていることを意味する。また、例えば第一大臼歯（６番）における「０．１４」とは、本願で規定する所定円内の中心から中心窩までの距離を意味する。その他の数値に関しても同様の意味である。また、例えば犬歯（３番）における「０．１２」とは、本願で規定する所定円内の中心から尖頭までの距離を意味する。その他の数値に関しても同様の意味である。上顎中切歯の場合、「０．９５」とは、直線ＯＭ上において点Ｍから唇側に０．９５の距離に左側上顎中切歯と右側上顎中切歯との歯間部を有するように配列されていることをいい、「１．１４」及び「０．７６」とは各々記載の値の距離に左側上顎中切歯と右側上顎中切歯との歯間部を有するように配列されていることをいう。下顎中切歯の場合、「０．８４」とは、直線ｏｍ上において点ｍから唇側に０．８４の距離に左側下顎中切歯と右側下顎中切歯との歯間部を有するように配列されていることをいい、「０．９４」及び「０．７４」とは各々記載の値の距離に左側下顎中切歯と右側下顎中切歯との歯間部を有するように配列されていることをいう。
【００８２】
【表１】
2015165850.tif 000003
【００８３】
【表２】
2015165850.tif 000004
【符号の説明】
【００８４】
１１・・・上顎中切歯
１１ａ・・・左側上顎中切歯と右側上顎中切歯との歯間部
１２・・・上顎側切歯
１３・・・上顎犬歯
１４・・・上顎第一小臼歯
１５・・・上顎第二小臼歯
１６・・・上顎第一大臼歯
１６ａ・・・上顎第一大臼歯の中心窩
１７・・・上顎第二大臼歯
２１・・・下顎中切歯
２１ａ・・・左側下顎中切歯と右側下顎中切歯との歯間部
２２・・・下顎側切歯
２３・・・下顎犬歯
２４・・・下顎第一小臼歯
２５・・・下顎第二小臼歯
２６・・・下顎第一大臼歯
２６ａ・・・下顎第一大臼歯の中心窩
２７・・・下顎第二大臼歯
５０、５２・・・左側頬側床縁
５１、５３・・・右側頬側床縁
１００・・・上顎基準義歯床
１０１・・・人工歯
２００・・・下顎基準義歯床
【図１】
2015165850.tif 000005
【図２】
2015165850.tif 000006
【図３】
2015165850.tif 000007
【図４】
2015165850.tif 000008
【図５】
2015165850.tif 000009
【図６】
2015165850.tif 000010
【図７】
2015165850.tif 000011